(57)【特許請求の範囲】
【請求項１】
タンクコンテナの洗浄にあたりタンクコンテナ内に不活性ガスを導入し、タンク内に残留する揮発性有機化合物（Ｖｏｌａｔｉｌｅ  Ｏｒｇａｎｉｃ  Ｃｏｍｐｏｕｎｄ：以下単に「ＶＯＣ」と言う）をパージし、冷媒を循環閉回路となした凝縮器に導き冷却液化せしめ、然る後、気液分離器に導き液化した該ＶＯＣを回収するとともに気液分離器から排出される未凝縮の微量ＶＯＣガスを触媒燃焼器にて燃焼処理することを特徴とするタンクコンテナ内に残留するＶＯＣの排出、回収、処理する方法。
【請求項２】
移動可能なタンクコンテナ内に残留する液体状のＶＯＣを排出、回収、処理する当該タンクコンテナ内の洗浄処理方法であって、当該洗浄処理方法は、
当該タンクコンテナ内に加熱した不活性ガスを導入し、当該タンクコンテナ内に残存する当該液体状のＶＯＣをガス化させることによって当該不活性ガスと当該ＶＯＣガスとの混合ガスを発生させる第１の工程、
当該混合ガスを当該タンクコンテナから排出させ当該タンクコンテナ内部をパージする第２の工程、
当該タンクコンテナから排出された当該混合ガスを冷却凝縮することによって、当該混合ガスに含まれている当該ＶＯＣガスを凝縮液化して当該混合ガスから液状のＶＯＣを分離する第３の工程、
当該第３の工程に於いて、当該液状のＶＯＣから分離された未凝縮の微量のＶＯＣガスと当該不活性ガスからなる混合ガスを、触媒燃焼手段を使用して燃焼処理する第４の工程、
とから構成されている事を特徴とする液体状のＶＯＣが内部に残留するタンクコンテナ内の洗浄処理方法。
【請求項３】
移動可能なタンクコンテナ内に残留する液体状のＶＯＣを排出、回収、処理する当該タンクコンテナ内の洗浄処理装置であって、当該洗浄処理装置は、
当該タンクコンテナ内に加熱した不活性ガスを導入し、当該液体状のＶＯＣをガス化させることによって当該不活性ガスと当該ＶＯＣガスとの混合ガスを発生させる為の加熱手段を含む不活性ガス供給手段、
当該タンクコンテナ内に供給された不活性ガスと当該加熱された不活性ガスによって当該液状ＶＯＣがガス化されたＶＯＣガスとの混合ガスを当該タンクコンテナから排出させる混合ガス排出手段、
当該タンクコンテナから排出された混合ガスを冷却凝縮して液状のＶＯＣと当該不活性ガスと微量のＶＯＣガスとを含む混合ガスとに分離する気液分離手段、
当該液状のＶＯＣを回収する液状ＶＯＣ回収手段、
当該微量のＶＯＣガスを含む混合ガスを燃焼処理する触媒燃焼手段
とから構成されている事を特徴とする液体状のＶＯＣが内部に残留するタンクコンテナ内の洗浄処理装置。
【発明の詳細な説明】
【技術分野】
【０００１】
本発明はタンクコンテナの洗浄にあたりタンクコンテナ内に残留するＶＯＣをタンク内より排出し効率的に回収、処理する方法に関するもので、大気汚染の防止、水質汚染の防止、生活環境の保全、コンテナで輸送する化成品間の異物混入を防ぐことに関わる技術である。
【背景技術】
【０００２】
化成品の陸上、鉄道、海上等の輸送には様々な性状の物質に対応する安全性、効率性、利便性、輸送コスト等の点から、また、ドラム缶輸送に比べると充填作業の簡略化、荷積み・荷卸しの際の異物混入の危険性が低いというメリットからタンクコンテナが一般に多用され輸送に欠かせない手段となって来ている。
【０００３】
国際間の輸送を円滑にするため、その仕様が国際規格に基づいて製作されているものもある。タンクコンテナにて輸送する場合の問題点は荷卸し後の残留する化成品の処理及びコンテナタンク内の洗浄処理である。特に低沸点のＶＯＣの輸送にあっては、安全上、タンク内容積一杯の積載はできず不活性ガスで置換しているため化成品の荷卸し後、ＶＯＣガスがタンク内に０．５％程度残留してしまう。該低沸点有機化合物が無害なものであれば問題ないのであるが、有害大気汚染物質である場合、大気、水域への放出に際しては法に則した適切な処理が必要になる。
【０００４】
しかし、現状では充分な排出管理がなされていないのが実態である。１９９９年に制定された「特定化学物質の環境への排出量の把握等及び管理の改善の促進に関する法律」に基づくＰＲＴＲ制度（Ｐｏｌｌｕｔａｎｔ
Ｒｅｌｅａｓｅ ａｎｄ Ｔｒａｎｓｆｅｒ Ｒｅｇｉｓｔｅｒ）で指定化学物質とその排出量の実態が明らかにされつつある。
【０００５】
環境省の資料によれば、アセトアルデヒドの届出排出量は大気へ９１トン、水域へ４８トン、廃棄物移動で４２３トンと集計されていて（平成１５年度）タンクコンテナからの排出寄与も大きいものと推測されている。
【０００６】
これらアルデヒドは悪臭防止法の特定悪臭物質でもあり、気化速度が速く、反応性が高く、健康被害、生活環境への影響が極めて大で、大気への排出、水域への排出対策が急がれている。
【０００７】
本発明はタンクコンテナ内に残留する極めて沸点の低いＶＯＣをタンク内より排出し効率的に回収、処理する方法に関するものでＶＯＣとしてホルムァルデヒド、アセトァルデヒド等を対象ガスとしているが、ＶＯＣを前記対象ガスに限定するものではない。
【０００８】
有害大気汚染物質の排ガス処理方式には多くの技術が存在する。たとえば、活性炭等吸着、加熱焼却、触媒酸化、水、酸、アルカリによる吸収、冷却・凝縮、油による吸収等がある。
【０００９】
しかし、これらの技術はガスの捕集後の処理技術であって、実際に遭遇する処理にあっては、発生場所、ガスの性状（濃度、沸点、反応性等）、処理量を検討するとともにＶＯＣガスの捕集方法、投資コスト、ランニングコスト、操作性、メンテナンス性等を併せ検討することが最優先されなければならない。
【００１０】
上記の技術をガソリン、べンゼン、トルエンなどの貯蔵、充填、移送する際、発生するＶＯＣガスの処理に適用した例として、例えば、特公昭５２−３９７８５号公報（特許文献１）では、ＶＯＣを含むガスを加圧下で或は加圧冷却の前処理をした珪酸、リン酸、脂肪酸エステル類の１種類以上からなる吸収剤と接触吸収させる方法が提案されている。
【００１１】
特公昭５４−１１１５４号公報（特許文献２）では、高沸点のアルキルベンゼンを吸収液として循環使用することによってＶＯＣを含むガスからＶＯＣだけを除去する技術が提案されている。
【００１２】
特公昭５８−２５０３号公報（特許文献３）では、炭化水素蒸気含有ガスと向流接触させて該ガス中の炭化水素蒸気を吸収した吸収剤を減圧度の異なる複数の容器中で２段以上でフラッシュ蒸発させて該吸収剤から炭化水素蒸気を分離回収する方法を提案している。
【００１３】
さらに、改良した吸収剤として常圧での沸点が２６０〜３６０℃の精製鉱油を使用した処理方法が特開平５−６８８４１号公報（特許文献４）に記載されている。
また、特開平１１−５０９８９１号公報（特許文献５）には、原油をタンカー船倉に積み込む際、船倉から排出されるＶＯＣ／不活性ガス混合物をケロセンに吸収させた後、ＶＯＣを分離回収する蒸気回収システムが開示されている。
【００１４】
しかし、これら公報の中には、本発明の目的であるＶＯＣガスを発生するタンクコンテナの洗浄に言及している技術は見あたらず、また、前記の技術を応用し適用することも困難である。
【００１５】
【特許文献１】特公昭５２−３９７８５号公報
【特許文献２】特公昭５４−１１１５４号公報
【特許文献３】特公昭５８−２５０３号公報
【特許文献４】特開平５−６８８４１号公報
【特許文献５】特開平１１−５０９８９１号公報
【特許文献６】特開２００２−１１９５５６号公報
【特許文献７】特開２００３−１４４９２０号公報
【発明の開示】
【発明が解決しようとする課題】
【００１６】
本発明は、ＶＯＣの輸送に使用するタンクコンテナの洗浄において、タンク内に残留せる気化したＶＯＣガスを安全に簡便な方法で排出、捕集回収するとともに回収工程にて排出される微量の残余ＶＯＣを無害化処理する方法を提供する。
一方、アルデヒド類は水溶性が非常に高いので水吸収処理が適すると考えられるが、吸収後の安価な分離回収あるいは無害化処理が課題として残されている。
【課題を解決するための手段】
【００１７】
そこで、本発明はタンクコンテナ洗浄にあたりタンクコンテナ内に残留する揮発性有機化合物（Ｖｏｌａｔｉｌｅ
Ｏｒｇａｎｉｃ Ｃｏｍｐｏｕｎｄ：以下単に「ＶＯＣ」と言う）を不活性ガスにてパージし、冷媒閉回路を構成する凝縮器に導きＶＯＣガスを冷却液化せしめた後、気液分離器に導き、不活性ガスを放出し該ＶＯＣを液体として回収した後、気液分離器で完全に液化していないＶＯＣガスは燃焼に必要な空気と共にアルマイト触媒燃焼器に導き燃焼させ無害化処理するという基本的技術思想を採用するものである。
【００１８】
本発明に於いては、この一連の処理操作により大部分のＶＯＣは効率的に回収され、触媒燃焼器に対しても大きな負荷がかからず投資コスト、運転コストも安価にすることが可能になる。
【００１９】
より具体的には、本発明に於ける第１の態様としては、タンクコンテナの洗浄にあたりタンクコンテナ内に不活性ガスを導入し、タンク内に残留するＶＯＣをパージし、冷媒を循環閉回路となした凝縮器に導き冷却液化せしめ、然る後、気液分離器に導き液化した該ＶＯＣを回収するとともに気液分離器から排出される未凝縮の微量ＶＯＣガスを触媒燃焼器にて燃焼処理することを特徴とするタンクコンテナ内に残留するＶＯＣの排出、回収、処理する方法である。
【００２０】
又、本発明に於ける第２の態様としては、移動可能なタンクコンテナ内に残留する液体状のＶＯＣを排出、回収、処理する当該タンクコンテナ内の洗浄処理方法であって、当該洗浄処理方法は、当該タンクコンテナ内に加熱した不活性ガスを導入し、当該タンクコンテナ内に残存する当該液体状のＶＯＣをガス化させることによって当該不活性ガスと当該ＶＯＣガスとの混合ガスを発生させる第１の工程、当該混合ガスを当該タンクコンテナから排出させ当該タンクコンテナ内部をパージする第２の工程、当該タンクコンテナから排出された当該混合ガスを冷却凝縮することによって、当該混合ガスに含まれている当該ＶＯＣガスを凝縮液化して当該混合ガスから液状のＶＯＣを分離する第３の工程、当該第３の工程に於いて、当該液状のＶＯＣから分離された未凝縮の微量のＶＯＣガスと当該不活性ガスからなる混合ガスを、触媒燃焼手段を使用して燃焼処理する第４の工程、とから構成されている事を特徴とする液体状のＶＯＣが内部に残留するタンクコンテナ内の洗浄処理方法である。
【００２１】
更に、本発明に於ける第３の態様としては、移動可能なタンクコンテナ内に残留する液体状のＶＯＣを排出、回収、処理する当該タンクコンテナ内の洗浄処理装置であって、当該洗浄処理装置は、当該タンクコンテナ内に加熱した不活性ガスを導入し、当該液体状のＶＯＣをガス化させることによって当該不活性ガスと当該ＶＯＣガスとの混合ガスを発生させる為の加熱手段を含む不活性ガス供給手段、当該タンクコンテナ内に供給された不活性ガスと当該加熱された不活性ガスによって当該液状ＶＯＣがガス化されたＶＯＣガスとの混合ガスを当該タンクコンテナから排出させる混合ガス排出手段、当該タンクコンテナから排出された混合ガスを冷却凝縮して液状のＶＯＣと当該不活性ガスと微量のＶＯＣガスとを含む混合ガスとに分離する気液分離手段、当該液状のＶＯＣを回収する液状ＶＯＣ回収手段、当該微量のＶＯＣガスを含む混合ガスを燃焼処理する触媒燃焼手段とから構成されている事を特徴とする液体状のＶＯＣが内部に残留するタンクコンテナ内の洗浄処理装置である。
【発明の効果】
【００２２】
従来、タンクコンテナの洗浄は洗浄物の種類、性状、タンクの構造に応じた洗浄装置を用い、ＶＯＣ洗浄にあっては高圧蒸気をタンク内壁面に吹き付けＶＯＣを大気へ放散し、水溶性ＶＯＣはそのまま水域へ排出していた。この洗浄によるＶＯＣの大気汚染、水質汚染はＰＲＴＲ制度で明らかになってきたように量的に看過できない情況にある。
【００２３】
本発明の実施によりタンクコンテナの洗浄は、簡便なプ口セスで安全で効率的にＶＯＣを回収、処理でき環境への影響の回避が期待される。
即ち、近年では、当該液状ＶＯＣを搬送するタンクコンテナは世界中を移動しており、従って、当該液状ＶＯＣが残留している当該タンクコンテナも世界中に分散されその数も膨大なものとなっているので、当該タンクコンテナ内の残留液状ＶＯＣの排出、処理は、世界環境保護上極めて切迫した緊急且つ重要な問題となって来ている。
【００２４】
係る問題の解決に際し、本発明は、簡易な構成と簡素な処理システムを採用していることから、処理装置自体がコンパクトで可搬性があり、コストも安価であって処理費用を提言する事が可能であるほか処理能力も大きく、効率的であり、且つ可搬性の装置として構成できるから如何なる場所でも処理する事が可能となる利点がある。
【発明を実施するための最良の形態】
【００２５】
以下に、本発明に於ける第１の態様であるタンクコンテナ内に残留する液状ＶＯＣを排出、回収、処理する方法の具体例を図面を参照しながら詳細に説明する。
即ち、図１は本発明の第１の具体例を実施するための態様を示すフロー図であって、タンクコンテナ１の洗浄にあたりタンクコンテナ１内に不活性ガスを導入し、タンク内に残留する揮発性有機化合物（ＶＯＣ）をパージし、冷媒を循環閉回路となした凝縮器７に導き冷却液化せしめ、然る後、気液分離器８に導き液化した該ＶＯＣを回収するとともに気液分離器８から排出される未凝縮の微量ＶＯＣガスを触媒燃焼器１２にて燃焼処理するタンクコンテナ内に残留するＶＯＣの排出、回収、処理する方法が示されている。
【００２６】
即ち、本発明に於いては、まず、タンクコンテナ１に残留しているＶＯＣ（気体／液体）を不活性ガス、例えば、窒素ガス等を、窒素ガスボンベ２より供給し、当該窒素ガスを窒素ガス加熱器３で加温し、タンクコンテナ１の当該液状ＶＯＣを注入する際に使用される注入口４よりタンクコンテナ１内へ導入する。
【００２７】
本発明に於いては、当該タンクコンテナ内を不活性ガスでパージするには残留している液体状のＶＯＣを気体にして行う必要があるので、当該窒素ガスの温度は当該ＶＯＣの沸点に対応して最適な温度に加温する必要がある。例えば、アセトアルデヒドでは常温下では気体状（沸点２０℃）であるので窒素ガス温度は３０℃以上あれば充分であるが、液体状で残っているＶＯＣを気体状にして除去する場合はＶＯＣが気化熱を奪うことも考慮し窒素ガスの温度を決めねばならない。
【００２８】
本発明に於いて取り扱う当該ＶＯＣの種類は特に限定されるものではなく、又当該不活性ガスも窒素に限定されるものではなく、何れも従来周知のものが使用可能である。
【００２９】
従って、当該不活性ガスの加熱温度は、当該タンクコンテナ１内に残留しているＶＯＣの種類及び当該不活性ガスの種類によって適宜決定する必要がある。
この場合、当該不活性ガスの加熱温度は、当該タンクコンテナ１内に残留しているＶＯＣの種類及び当該不活性ガスの種類に応じて使用される加熱温度を予め実験等によって決定しておき、当該温度条件を所定の記憶手段に記憶させておく事によって、当該不活性ガスの温度設定を容易に実行する事が可能となり、又自動化も実現する。
【００３０】
次に、本発明に於いては、当該タンクコンテナ１内部のバージが完了したか否かを検出して、当該パージ作業を終了させるために、当該タンクコンテナ１内の当該ＶＯＣの濃度を参考にすることが望ましい。
【００３１】
その為に、例えば、当該タンクコンテナ１の液状ＶＯＣ排出用の排出口５若しくは当該排出口５に接続される当該混合ガス排出手段１６の一部に、当該タンクコンテナ排出口５の出口ガス中のＶＯＣ濃度を測定するＶＯＣ濃度測定手段１７を設け、当該ＶＯＣ濃度測定手段１７によってそのＶＯＣ濃度を確認することが望ましい。
【００３２】
当該ＶＯＣ濃度が予め定めた所定のレベル値以下となった場合に、当該タンクコンテナ１内のＶＯＣのパージは完了したものと見なし、後述する所定の処理操作を終了する。
【００３３】
この場合でも、当該ＶＯＣの種類によって、当該タンクコンテナ１内のＶＯＣのパージが完了したとの判断を行う該ＶＯＣ濃度の所定のレベル値は、処理すべきＶＯＣによって異なるので、予め実験等によって各ＶＯＣ毎に実験によりそのレベル値を決定しておき、当該レベル値を所定の記憶手段に記憶させておく事によって、当該処理されるＶＯＣの種類に応じた当該パージ完了判断基準が明確になり当該判断を容易に実行する事が可能となり、又自動化も実現する。
【００３４】
次に、本発明に於いては、パージされたＶＯＣガスを含む不活性ガスとの混合ガスは、適宜の凝縮器７に送られ、適宜のチラーユニット６から供給された冷媒により冷却され凝縮液化される。
【００３５】
当該凝縮器７は、冷媒が閉鎖回路を構成するものである事が望ましい。
又、当該チラーユニット６は、例えば、圧縮機、熱交換器、送風機がひとつの架台に組み込まれている構造を有しているものであっても良く、処理されるべき当該ＶＯＣの沸点に応じて冷媒を変えることにより温度調整がマイナス低温用、中低温（５〜１５℃）用と使い分けが可能で好都合である。
【００３６】
かかる使用冷媒と処理されるべきＶＯＣの種類とその際に設定されるべき温度条件等も予め、実験等によって決定しておき、当該使用温度条件を所定の記憶手段に記憶させておく事によって、当該処理されるＶＯＣの種類と使用冷媒の種類に応じた当該冷媒温度条件の設定判断基準が明確になり当該判断を容易に実行する事が可能となり、又自動化も実現する。
【００３７】
その後、本発明に於いては、冷却液化されたＶＯＣは適宜の構成を有する気液分離器８を経て、当該液化された液状ＶＯＣの回収容器９に回収される。
一方、本発明に於いては、当該気液分離器８から排出された凝縮されずに極微量のＶＯＣガスを含む不活性ガスからなる混合ガスは、触媒燃焼器１２にて燃焼させて無害化処理した後に排出口１３から排出される。
【００３８】
本発明に於いては、当該気液分離器８から排出された混合ガスに含まれる当該ＶＯＣガスを触媒を用いて燃焼処理するに際しては、当該ＶＯＣガスの種類、濃度に応じて、ブロワーを含む空気流量調整機１０より送られる燃焼に必要な空気と混合され、当該空気流量調整機１０を経て触媒燃焼器１２にて燃焼させて無害化処理される。
【００３９】
この場合でも、当該ＶＯＣの種類によって、当該触媒燃焼器１２に供給される空気の流量は、当該ＶＯＣガスの種類、濃度に応じて変化するので、必要な空気の流量は、当該ＶＯＣガスの種類、濃度に応じて予め実験等によってその流量値を決定しておき、当該流量値を所定の記憶手段に記憶させておく事によって、当該処理されるＶＯＣの種類と濃度に応じた当該必要な空気の流量の設定操作が明確になり当該設定操作を容易に実行する事が可能となり、又自動化も実現する。
【００４０】
本発明に於いては、当該触媒燃焼器１２に於けるＶＯＣの無害化処理に対応する当該燃焼処理操作に際し、当該ＶＯＣガスを先ず触媒余熱器１１に通過させ、当該ＶＯＣガスを予め予熱しておき、その後に当該ＶＯＣガスを当該触媒燃焼器１２を通過させ、二段で効率よく処理する事が望ましい。
【００４１】
更に、本発明に於いては、この処理にはアルマイト触媒を備えた触媒燃焼器１２が極めて有効である。
ここで、アルマイト触媒とは、例えば、特開２００２−１１９８５６号公報（特許文献６）および特開２００３−１４４９２０号公報（特許文献７）に記載される方法にて得られるアルマイトを触媒担体として、ラジウム、白金、ルテニウム、ロジウムなど触媒能を有する金属粒子を担持させた棒状，帯状、箔状、粒状、鞍状など公知の形状にしたものの総称である。
【００４２】
本発明に供する触媒燃焼器１２はこうして得られたアルマイト触媒を適用したもので安価で本発明の実施に効果を発揮する。処理可能なＶＯＣ濃度は１００〜３０００ｐｐｍまで可能である。
又、当該触媒燃焼器１２の温度は、処理されるべきＶＯＣの種類によって異なるが、３００℃前後の温度が通常採用される。
【００４３】
当該触媒燃焼器１２の燃焼温度も予め実験等によって確認した結果を適宜の記憶手段に記憶させておく事によって、当該処理されるＶＯＣの種類と濃度と触媒の種類等に応じた当温度の設定操作が明確になり当該設定操作を容易に実行する事が可能となり、又自動化も実現する。
【００４４】
本発明に於いては、当該処理後のＶＯＣ濃度は０．０２ｐｐｍ以下となるのでそのままで大気へ放出される。このように本発明によればタンクコンテナ１に残留するＶＯＣ気体／液体を、簡便な装置で効率よく回収でき、処理後の排ガスも無害な形で大気に放出でき環境対策に大きく寄与するとともに、輸送する化成品への異物混入を防ぐことができる。
【００４５】
尚、本発明に於ける上記したパージ操作に於いて、当該タンクコンテナ１内には、不活性ガスとの分圧比の関係で１００％の液状ＶＯＣを回収する事ができず、微量な液状ＶＯＣがどうしても残留することになるが、当該タンクコンテナ１内に残留する液状ＶＯＣは、極めて少ないので、最終的には、水洗により洗い出し、そのまま廃棄する事が出来る。
【００４６】
一方、本発明に於いて使用される当該タンクコンテナ１は、国際的に規格化されたタンクコンテナ１で移動可能な可搬性を有しているものである事が望ましく、当該タンクコンテナ１の全体の形状或は寸法及び当該液状ＶＯＣの注入用注入口４と当該液状ＶＯＣの排出用排出口５の配置位置等は、予め固定されて設計され配置されているものであることが望ましい。
【００４７】
尚、本発明に於ける当該可搬性を有しているタンクコンテナ１としては、船の船倉に設けられたタンクで有ってもよい。
更に、本発明に於いては、所定の場所に固定されたタンクに対して使用することも可能である。
【００４８】
係る規格化されたタンクコンテナ１を使用する場合には、トラック、船等で液状ＶＯＣを充填したタンクコンテナを移動させる操作が容易であるばかりでなく、残留した液状ＶＯＣを内部に含む複数個のタンクコンテナ１の当該ＶＯＣの排出、処理或は洗浄処理する場合に、同じ場所で同じ処理方法乃至処理装置を使用して効率的に処理する事が可能となるので、処理コストの大幅な低減が可能となる。
【００４９】
又、本発明に係る後述するタンクコンテナの洗浄処理装置を世界中の如何なる場所にも設置したり、移動させたりする事が可能となる。
更に、本発明に於いては、上記した様に、必要な処理条件等を予め所定の記憶手段に記憶させておく事によって、コンピュータ等を利用して、所定の操作プログラムを用いて自動化された処理システムを構築する事も可能である。
【００５０】
（実施例）
以下に、本発明に於ける第１の態様に於ける、ＶＯＣの排出、回収、処理する方法の一具体例を実施例として説明する。
即ち、容積１０ｍ３のタンクコンテナ１よりアセトアルデヒドを積み下ろし後、本願発明を適用実施した。この時、タンクコンテナ１内にはＶＯＣであるアセトアルデヒドは濃度９５〜１００ＶＯＬ％の気体状および／あるいは液体状で約１５Ｋｇ残留していた。このコンテナに４０℃の窒素ガスを圧力０．２ＭＰａＧ、流量０．２ｍ３／ｍｉｎ．で６０分間通し、アセトアルデヒド濃度を測定したところ、完全にパージされたことを確認した。
【００５１】
パージされ、凝縮器７に導かれたアセトアルデヒド（窒素混合）ガスはチラーユニット６から供給された−１０℃冷媒と熱交換器で−５℃に冷却されたアセトアルデヒドが液体化され、気液分離器８にて回収された。回収量は１４ｋｇで、９０％以上の回収率であった。
【００５２】
一方、気液分離器８では、１０〜５０ＶＯＬ％のアセトアルデヒドガスを含む窒素ガス入り混合ガスが発生していたので、アセトアルデヒド濃度が３０００ｐｐｍになるよう空気を導入し、流量３００ｍ３／ｈでアルマイト触媒装置１２に導き燃焼処理した。燃焼後のアセトアルデヒド濃度は０．０２ｐｐｍ以下であった。なお、触媒燃焼処理装置１２は触媒予熱器１１を有するもので、（株）アルマイト触媒研究所製の触媒燃焼装置（デオドアクト−５Ｍ）を用いた。この燃焼処理器１２は濃度１０００〜３０００ｐｐｍのアセトアルデヒドガスを毎時３００ｍ３／ｈ処理できる能力を有しており、本発明の実施に優れた効果を発揮した。
【００５３】
次に、本発明に於ける第２の態様の構成について、図１を参照しながら説明する。
即ち、本発明に於ける第２の態様の技術的構成は、基本的には、上記した第１の態様に於ける構成と実質的に同じであるが、具体的には、移動可能なタンクコンテナ内に残留する液体状のＶＯＣを排出、回収、処理する当該タンクコンテナ内の洗浄処理方法であって、当該洗浄処理方法は、当該タンクコンテナ１内に加熱した不活性ガスを導入し、当該タンクコンテナ１内に残存する当該液体状のＶＯＣをガス化させることによって当該不活性ガスと当該ＶＯＣガスとの混合ガスを発生させる第１の工程、当該混合ガスを当該タンクコンテナ１から排出させ当該タンクコンテナ１内部をパージする第２の工程、当該タンクコンテナ１から排出された当該混合ガスを冷却凝縮することによって、当該混合ガスに含まれている当該ＶＯＣガスを凝縮液化して当該混合ガスから液状のＶＯＣを分離する第３の工程、当該第３の工程に於いて、当該液状のＶＯＣから分離された未凝縮の微量のＶＯＣガスと当該不活性ガスからなる混合ガスを、触媒燃焼手段１２を使用して燃焼処理する第４の工程、とから構成されている液体状のＶＯＣが内部に残留するタンクコンテナ内の洗浄処理方法である。
【００５４】
本発明に於ける当該第２の態様に於ける各構成についての詳細な条件等は、前記した第１の態様に於けるそれぞれの条件と同じである。
次に、本発明に於ける第３の態様に係る技術構成について、図１を参照しながら説明する。
【００５５】
即ち、本発明に於ける第３の態様の技術的構成は、基本的には、上記した第１の態様に於ける構成と実質的に同じであるが、具体的には、移動可能なタンクコンテナ内に残留する液体状のＶＯＣを排出、回収、処理する当該タンクコンテナ１内の洗浄処理装置２０であって、当該洗浄処理装置２０は、当該タンクコンテナ１内に加熱した不活性ガスを導入し、当該液体状のＶＯＣをガス化させることによって当該不活性ガスと当該ＶＯＣガスとの混合ガスを発生させる為の加熱手段３を含む不活性ガス供給手段２１、当該タンクコンテナ１内に供給された不活性ガスと当該加熱された不活性ガスによって当該液状ＶＯＣがガス化されたＶＯＣガスとの混合ガスを当該タンクコンテナから排出させる、混合ガス排出手段１６、当該タンクコンテナ１から排出された混合ガスを凝縮器７で冷却凝縮して液状のＶＯＣと当該不活性ガスと微量のＶＯＣガスとを含む混合ガスとに分離する気液分離手段８、当該液状のＶＯＣを回収する液状ＶＯＣ回収手段９、当該微量のＶＯＣガスを含む混合ガスを燃焼処理する触媒燃焼手段１２とから構成されているタンクコンテナ内の洗浄処理装置２０である。
【００５６】
本発明に於ける当該第３の態様に於ける各構成についての詳細な条件等は、前記した第１の態様に於けるそれぞれの条件と同じである。
尚、本態様に於ける具体例では、当該タンクコンテナ内の洗浄処理装置２０は、更に当該混合ガスを当該触媒燃焼手段１２に供給するに際し、当該触媒燃焼手段１２に空気流を供給するためのブロワーを含む空気流量調整手段１０を更に含んでいる事が望ましい。
【００５７】
更に、本態様に於ける具体例では、当該触媒燃焼手段は、触媒予熱手段１１と触媒燃焼手段１２とを含んでいる事も望ましい。
又、本態様に於ける具体例では、当該タンクコンテナ１に導入する不活性ガスを当該液状ＶＯＣの大気圧沸点以上の温度に加熱せしめる加熱手段３を有している事も望ましい具体例である。
【００５８】
一方、本態様に於ける具体例にあっては、当該不活性ガス供給手段２１は、当該タンクコンテナの液状ＶＯＣ注入口４若しくはその排出口５の一方に嵌合し、当該不活性ガスを当該タンクコンテナ１内に供給しうる第１の接合手段１５を有すると共に、当該混合ガス排出手段１６は、当該タンクコンテナの液状ＶＯＣ注入口４若しくはその排出口５の他方に嵌合しうる第２の接合手段１８を有する事が望ましい。
【００５９】
又、本態様に於ける具体例にあっては、当該第２の接合手段１８若しくは当該混合ガス排出手段１６には、当該タンクコンテナ１内のＶＯＣ濃度を測定するＶＯＣ濃度測定手段１７が設けられている事も望ましい具体例である。
【産業上の利用可能性】
【００６０】
本発明はＶＯＣタンクコンテナの洗浄、ＶＯＣ貯蔵施設の洗浄、ＶＯＣ輸送の船倉の洗浄などに利用可能である。
【図面の簡単な説明】
【００６１】
【図１】図１は、本発明に於けるタンクコンテナからＶＯＣガスを排出し、液化、分離、回収するプロセスのフローを示す図である。
【符号の説明】
【００６２】
１．タンクコンテナ
２．窒素ガスボンベ
３．加熱器
４．タンクコンテナ注入口
５．タンクコンテナ排出口
６．チラーユニット
７．凝縮器
８．気液分離器
９．ＶＯＣ回収容器
１０．空気流量調整器
１１．触媒予熱器
１２．触媒燃焼器
１３．排ガス排出口
１５．第１の接続手段
１６．混合ガス排出手段
１７．濃度検出手段
１８．第２の接続手段
２０．タンクコンテナ内の洗浄処理装置
２１．不活性ガス供給手段
【図１】
0005099326.tif 000002